(57)【要約】【課題】  被施療者の身体側部を施療可能とする施療機において、背凭れ部のリクライニングに対応すると共に、肩や上腕等が施療中に拘束されたとしても、操作部にて操作を容易且つ快適に行う事ができる施療機を提供する。【解決手段】  被施療者の臀部または大腿部が当接する座部１１ａと、身体背部が当接する背当て部１２ａを設け、前記背当て部１２ａの左右両側には、前方に向かって突出した側壁部２ａ・２ａを夫々備えると共に各側壁部２ａ・２ａに空気の給排気により膨縮する膨縮袋４ａを設け、被施療者の身体左右両側を施療可能にした施療機１ａであって、前記各側壁部２ａ・２ａの少なくとも一方の側壁部２ａに施療機１ａの操作を行わせる操作部５ａを連結して構成する。【選択図】  図１
2007252674.tif 000002
【特許請求の範囲】
【請求項１】
施療者の臀部または大腿部が当接する座部と、身体背部が当接する背当て部を設け、該背当て部の左右両側には、前方に向かって突出した側壁部を夫々備えると共に各側壁部に空気の給排気により膨縮する膨縮袋を設け、被施療者の身体左右両側を施療可能にした施療機であって、前記各側壁部の少なくとも一方の側壁部に施療機の操作を行わせる操作部を連結して構成した事を特徴とする施療機。
【請求項２】
請求項1に記載した少なくとも一方の側壁部に設けられた操作部は、該側壁部で上下左右又は前後の任意方向に位置変更できるよう連結している事を特徴とする請求項１記載の施療機。
【請求項３】
請求項1に記載した少なくとも一方の側壁部に設けられた操作部は、該側壁部で支持部材を介して設けられており、該支持部材の基端若しくは至端で操作部が上下左右又は前後の任意方向に位置変更できるよう連結している事を特徴とする請求項１記載の施療機。
【請求項４】
請求項２に記載した側壁部と操作部の連結、又は請求項３に記載した側壁部と支持部材との連結或いは支持部材と操作部との連結は、可動ジョイント部材により連結されている事を特徴とする請求項２又は請求項３記載の施療機。
【発明の詳細な説明】
【技術分野】
【０００１】
本発明は、被施療者の施療部位に対する施療を操作部の指示に基づいて行わせる施療機に係り、詳しくは、施療機の操作部を被施療者に使い勝手の良い位置に常時配備させることができるようにした施療機に関するものである。
【背景技術】
【０００２】
従来、施療子による施療機構や空気の給排気により膨縮する膨縮袋等を施療機本体に設けて、身体施療部位に対する施療を行わせるようにした施療機が多数出回っており、該施療機には、それら施療子や膨縮袋等による施療動作や該施療機におけるその他の各種機能を操作するための操作部が具備されており、被施療者は該操作部により一局集中的に施療機の全動作や機能を操作して施療を受ける事ができるようにしている。
【０００３】
ところで、このような施療機の操作部は、被施療者が操作し易いように該操作部を被施療者の手元近傍や肘掛部近傍に設置して、使用時にこれを操作できるようにした構成のものが殆どである。
【０００４】
例えば、図１５に示す椅子型の施療機４２は、被施療者の着座する座部１７の後部においてリクライニング可能な背凭れ部１８を設けると共に、被施療者の前腕を保持する右腕用の第２保持部分１２の先端において、操作ボタンを備えた操作パネル４３が設けられており、被施療者は第２保持部分１２に保持した状態で、前腕を動かすことなく、手元に位置する該操作パネル４３を操作する事ができるようにしている。
【０００５】
すなわち、図１５に開示したものは、被施療者の上腕を保持する第１保持部分１１と、被施療者の前腕を保持する第２保持部分１２とによって保持部１０を構成し、第１保持部分１１は、背凭れ部６の側部に取り付けられ、第２保持部分１２は、座部５の側方に設けられたガイドレール９に係合され、第１保持部分１１と第２保持部分１２とは枢着されていると共に、第１保持部分１１及び第２保持部分１２には、夫々空気袋を設けて、背凭れ部１８の左右両側において、被施療者の左右の上腕部及び肩の側部を夫々覆うよう延設されたクッション部１８ｄで被施療者に自然な姿勢をとらせつつ、腕部を施療することが可能にしたマッサージ機である。
【特許文献１】特開２００３−３１０６８３号公報（第１３頁、図１２）
【発明の開示】
【発明が解決しようとする課題】
【０００６】
しかし、前述したような従来構成のように、被施療者の手元近傍に操作部を設けた施療機では、例えば背凭れ部をリクライニングさせることにより被施療者の手元と操作部との距離が変化するため、特に、背凭れ部が最後方まで後倒した場合等は、操作部に手が届かなくなってしまうと共に、操作部が見えずに操作がし辛くなるという問題が有った。
【０００７】
また、背凭れ部のリクライニング時以外においても、前述したように、被施療者の左右の上腕部及び肩の側部を施療部位として、その左右夫々の側部の施療を膨縮袋により行う施療形態の場合にも、被施療者の身体が左右の膨縮袋の膨張により、左右の上腕部及び肩が挟圧されてしっかり固定される状態になるために、被施療者の肩や上腕等が拘束されてしまい、操作部に手が届かなくなったり、操作ができなくなったりする状態になってしまうという問題が生じていた。
【０００８】
そこで、本発明は、上記問題点を解消する為に成されたものであり、背凭れ部のリクライニングにも対応すると共に、肩や上腕等が施療中に拘束されたとしても、操作部にて操作を容易且つ快適に行う事ができる施療機を提供する事を目的とするものである。
【課題を解決するための手段】
【０００９】
すなわち、本発明の施療機は、被施療者の臀部または大腿部が当接する座部と、身体背部が当接する背当て部を設け、前記背当て部の左右両側には、前方に向かって突出した側壁部を夫々備えると共に各側壁部に空気の給排気により膨縮する膨縮袋を設け、被施療者の身体左右両側を施療可能にした施療機であって、前記各側壁部の少なくとも一方の側壁部に施療機の操作を行わせる操作部を連結して構成した事を特徴としている。
【００１０】
また、本発明の施療機は、少なくとも一方の側壁部に設けられた操作部は、該側壁部で上下左右又は前後の任意方向に位置変更できるよう連結している事を特徴としている。
【００１１】
更に、本発明の施療機は、少なくとも一方の側壁部に設けられた操作部は、該側壁部で支持部材を介して設けられており、該支持部材の基端若しくは至端で操作部が上下左右又は前後の任意方向に位置変更できるよう連結している事を特徴としている。
【００１２】
更にまた、本発明の施療機は、側壁部と操作部の連結、又は側壁部と支持部材との連結或いは支持部材と操作部との連結は、可動ジョイント部材により連結されている事を特徴としている。
【発明の効果】
【００１３】
よって本発明の施療機は、前記背当て部の左右両側に、夫々前方に向かって突出した側壁部を備えると共に、各側壁部に空気の給排気により膨縮する膨縮袋を設けて、被施療者の身体の左右両側を適宜に施療する事が可能な施療機であり、各側壁部の少なくとも一方の側壁部に施療機の操作を行わせる操作部を設けているため、各側壁部の膨縮袋による膨縮動作により被施療者の身体両側部を施療している場合でも、被施療者は背当て部から離れることなく施療を継続しながら操作部を操作する事ができ、また、左右に配備された膨縮袋によって被施療者の両腕や肩等を含む身体を左右方向から固定するように膨張保持した場合であっても、両腕や肩等がある程度拘束されるが下腕は開放されているため、被施療者はそのままの状態で操作部に手が届き、施療をしながら操作部の操作を行う事ができる。
【００１４】
また、本発明の施療機は、操作部が側壁部において任意方向に位置変更する事ができるため、被施療者の体形や、操作上又は視認上等の好みに合わせて自由に位置調節を行う事ができ、常に最適な位置に操作部を保つ事ができる。
【００１５】
更に、本発明の施療機は、操作部が支持部材を介して側壁部に設けられ、支持部材の至端又は基端で操作部を任意方向に位置変更する事ができるよう連結しているため、適宜の大きさの支持部材を介する事により、操作部の側壁部に対する任意方向への位置変更幅を大きくする事ができると共に、常時最適な位置になるよう操作部を調節する事ができる。
【００１６】
更にまた、本発明の施療機は、側壁部と操作部の連結、又は側壁部と支持部材との連結或いは支持部材と操作部との連結は、可動ジョイント部材でなされているため、操作部の側壁部に対する任意方向への位置変更を無段階且つスムーズに微調節する事ができる。
【発明を実施するための最良の形態】
【００１７】
以下に、本発明の施療機を、図面に示す一実施形態に基づきこれを詳細に説明する。
図１は本発明の施療機の一実施形態を示す斜視説明図であり、図２乃至図４は本発明の施療機の一実施形態を示す使用状態説明図であり、図５は本発明の施療機の側壁部における膨縮袋の膨縮の一実施形態を示す断面説明図であり、図６は本発明の施療機の一実施形態を示す使用状態説明図であり、図７は本発明の施療機の操作部の位置変更に関する一実施形態を示す説明図であり、図８は本発明の施療機における操作部の一実施形態を示す斜視説明図であり、図９は本発明の施療機における操作部の支持部材に関する一実施形態を示す分解斜視説明図であり、図１０は本発明の施療機における操作部の支持部材の位置変更に関する一実施形態を示す斜視説明図であり、図１１は本発明の施療機における操作部と支持部材と側壁部に関する一実施形態を示す正面説明図であり、図１２は本発明の施療機における操作部と支持部材と側壁部に関する一実施形態を示す右側面説明図であり、図１３は本発明の施療機における操作部と支持部材と側壁部に関する一実施形態を示す平面説明図であり、図１４は本発明の施療機の操作部と側壁部とを一体的に形成した一実施形態を示す斜視説明図であり、図１５は従来技術を示す参考図である。
【００１８】
すなわち、本発明の施療機は、少なくとも被施療者の臀部または大腿部が当接する座部と、身体背部が当接する背当て部を設けてなるものであり、図１及び図２の実施形態で示したものは、それら座部１１ａと、該座部１１ａの後側にリクライニング可能に連結する背当て部１２ａに加えて、該座部１１ａの前側に上下方向へ揺動可能に連結した足載せ部１３ａとから椅子型に構成した施療機１ａであり、前記座部１１ａの両側に肘掛け部１４ａを立設すると共に、前記背当て部１２ａの左右両側に前方に向かって突出した側壁部２ａを夫々配設している。
【００１９】
図１に示すように、前記背当て部１２ａには、その中央部に左右一対の施療子３１ａを備えた昇降自在の施療子施療機構３ａを設けている。該施療子施療機構３ａは、背当て部１２ａの内部左右に設けた左右一対のガイドレール３２ａに沿って背当て部１２ａの上端から下端にかけて昇降するようにしている。
【００２０】
前記左右一対の施療子３１ａは、図示しないが、モータ等を駆動源とした機械式の施療機構であり、前記背当て部１２ａに凭れた被施療者の首部、背部、腰部、臀部等の背面全域を、たたき、揉み、ローリング、振動、指圧などの多様な形態で施療するようにしたものである。
【００２１】
また、前記施療機１ａの各所定の位置には、空気の給排気により膨縮を繰り返す事が可能な膨縮袋４ａを夫々埋設している。該膨縮袋４ａは、エアーコンプレッサー及び各膨縮袋４ａに空気を分配するための分配器等からなる空気給排装置４１ａによる給排気により膨縮動作を行うようにしており、該空気給排装置４１ａはこれを配置できる空間部であればどの位置であっても良いが、図面では座部１１ａの下部空間に配備している例を示した。
【００２２】
前記空気給排装置４１ａによる各前記膨縮袋４ａの膨縮動作によって、被施療者の所定の施療部位を押圧、指圧等を実施する事ができ、また、これを対となるよう複数の膨縮袋４ａを対設させる事により挟圧等の施療も行う事ができる。更に、制御装置等をこれに設けて膨縮袋４ａを膨張状態に保つようにした場合は、被施療者の所定の部位を一定の時間保持する事も可能である。
【００２３】
図１の場合、前記施療機１ａは、前記背当て部１２ａの左右側上部、及び左右側下部に夫々膨縮袋４ａを設けており、被施療者の背中及び腰部を押圧、または左右両側から挟圧するような施療を行うよう構成している。
【００２４】
また、前記座部１１ａには、後部側に臀下部用や腿部用の膨縮袋４ａを夫々埋設して、主に下方から上方に押圧する施療を行うようにしている。尚、臀下部用や腿部用の膨縮袋４ａを夫々斜形状に埋設することで、斜め方向への押圧施療が行えるものである。
【００２５】
前記足載せ部１３ａは、身体の脛部及び足先部を夫々嵌入させる左右一対の凹部を夫々形成したものであり、各凹部に膨縮袋４ａを左右一対として対設するよう配設させて、凹部内部で人体の脛部及び足先部に対する挟圧施療を実施するようにしている。
【００２６】
前記左右の肘掛け部１４ａの上部には、身体の手や前腕を嵌入保持して施療するための凹部を形成する腕保持部１５ａを設けており、図１の場合、該腕保持部１５ａの内部において、上下に各膨縮袋４ａを夫々対設するよう配設し、凹部内部で身体の手や前腕に対する挟圧施療を実施するようにしている。
【００２７】
前記左右側壁部２ａは、座部１１ａに着座した被施療者の肩または上腕側方となる位置に配設すると共に、図５に示すように、前記背当て部１２ａに取り付けた基端部側から先端部にかけて漸次外側方に拡開させて構成している。
【００２８】
前記左右側壁部２ａの内側面には、夫々左右方向に重合した膨縮袋４ａ・４ａを並列状態に埋設している。これら重合した膨縮袋４ａ・４ａはその基端部のみを側壁部２ａの基端部に取り付けているため、図５に示すように膨張時には重合した膨縮袋４ａ・４ａが扇状に広がって施療者の身体側部を挟圧しつつ、身体前方まで覆うようになる。
【００２９】
よって、前記左右側壁部２ａの前記膨縮袋４ａは、膨縮動作により身体側部を施療する事ができるだけでなく、一定の時間において膨張状態を保つようにした場合は、被施療者の身体が前記背当て部１２ａから離れないようにしっかりと保持する事ができ、図５に示すように被施療者の身体を固定したままの状態で前記施療子施療機構３ａの前記施療子３１ａによる背部からの施療を効果的に受ける事が可能となるのである。
【００３０】
而して、上記したように構成された施療機１ａは、操作部５ａにより作動を操作指示されて稼働するようにしており、該操作部５ａは、その操作を行うためのリモートコントローラ等で構成されるものである。すなわち、図１に示すように、該操作部５ａによって、主電源の入切、前記施療子施療機構３ａや前記空気給排装置４１ａ及び各前記膨縮袋４ａによる施療の種類や強度等の選択、その他、前記背当て部１２ａのリクライニングや前記足載せ部１３ａの上下動の調節等、施療機１ａの機能に対する操作を行うようにしている。尚、操作部５ａの操作は、図示しないが、液晶画面等の操作表示部や操作ボタンまたはダイヤル等の操作指示部等で行うようにしても良く、また音声による操作指示が行えるようにしても良い。
【００３１】
更に、前記操作部５ａによる前記施療機１ａの操作に伴う制御は、電子制御で行うものあり、また、予めプログラムされたデータに基づく動作や、被施療者が任意に入力したプログラムデータに基づいて動作するようにしてもよい。
【００３２】
図１に示すように前記操作部５ａは、前記側壁部２ａの少なくとも一方の側壁部２ａに設けられている。例えば、図1では、前記側壁部２ａから棒状である支持部材５１ａを突設させ、該支持部材５１ａの至端側に操作部５ａを備え、操作部５ａを上下左右又は前後の任意の方向に位置変更できるようにしている。すなわち、操作部５ａの取付けは、正面に向かって右側の側壁部２ａの前端中央部に支持部材５１ａの基端を固設し、その至端側に操作部５ａを保持するホルダー５２ａと連結し、該ホルダー５２ａに操作部５ａを設ける形態で行われている。
【００３３】
また、図８に示すように前記ホルダー５２ａに対して操作部５ａは脱着自在となるようにしてもよい。これにより操作部５ａを保持しながら操作する事ができ、また、ホルダー５２ａから操作部５ａを取り外して、被施療者が手に持ちながら操作する事も可能となる。
【００３４】
尚、前記ホルダー５２ａは、必ずしも設ける必要は無く、前記操作部５ａを前記支持部材５１ａの至端に連結するようにしてもよい。
【００３５】
更に、前記操作部５ａは前記側壁部２ａにおいて上下左右又は前後の任意の方向に位置変更する事ができるように取り付けられるものであり、例えば、前記支持部材５１ａに対し、前記操作部５ａを可動するよう構成する事ができ、図８の形態では、前記支持部材５１ａと前記ホルダー５２ａとの連結に可動ジョイント部材５３ａを用いた場合を例示している。これにより支持部材５１ａに対して操作部５ａまたはホルダー５２ａが、被施療者の所望する位置になるまで適宜に可動させることができるようにしている。
【００３６】
また図８に示すように、前記可動ジョイント部材５３ａをボールジョイントとして構成してもよく、一点を中心に、上下・左右・前後のあらゆる方向に前記操作部５ａや前記ホルダー５２ａを傾動調節する事ができるようにする事ができる。
【００３７】
前記可動ジョイント部材５３ａの他の形態として、直線移動や回動移動ができるものであってもよいし、また、前記可動ジョイント部材５３ａを段階的な移動調節可能にしたり、スムーズな無段階移動調節を可能にしたりする機構でもよい。
【００３８】
更に、前記側壁部２ａに対して前記支持部材５１ａの基端が可動連結するよう、図９乃至図１３で示すように、支持部材５１ａの至端だけでなく基端にも可動ジョイント部材５３ａを設ける事ができる。該可動ジョイント部材５３ａをボールジョイントとし、そのボール部５３１ａを支持部材５１ａの基端部に設けたボール受け部５３３ａとボール保持調節部材５３２ａとにより挟持して構成する。その挟持力はビス５３４ａにより調節可能となっている。
【００３９】
このように構成する事により、前記側壁部２ａに対して前記支持部材５１ａの基端が一点を中心に上下・左右・前後のあらゆる方向に傾動調節する事ができるのである。例えば図７及び図１０に示すように、支持部材５１ａを左右方向または上下方向に回動して、被施療者の体形や操作上または視認上等の好みに合わせて自由に位置調節を行う事ができる。
【００４０】
図６に示すように、被施療者が前記操作部５ａによる操作中は、被施療者の身体前方に操作部５ａがくるよう移動させて使い易くなり、被施療者が前記背当て部１２ａに凭れる時や離れる時等は、図７に示すように操作部５ａを外側に位置させて邪魔にならないようにする事ができる。
【００４１】
前記可動ジョイント部材５３ａの他の形態として、この支持部材５１ａを、弾性を有する素材や屈曲性を有する素材で形成することもでき、大きく前後移動も可能にできるものであり、直線移動や回動移動及び前後移動が行えるようにでき、また前記可動ジョイント部材５３ａにおいて段階的に移動調節可能にしたり、スムーズな無段階移動調節を可能にしたりするようにも構成できる。
【００４２】
前記操作部５ａは、前述したように前記側壁部２ａに設けられているため、前記背当て部１２ａのリクライニングと連動し、常に被施療者に対する操作部５ａの位置を一定に保つ事ができる。例えば、図４に示すように前記背当て部１２ａを最後方にリクライニングさせても、被施療者に対する操作部５ａの位置がほとんど変わらず、いつも操作し易い状態を保つ事ができる。
【００４３】
更に、図３及び図５に示すように、前記背当て部１２ａにおいて、背当て部１２ａの左右側部に設けた膨縮袋４ａと前記側壁部２ａの膨縮袋４ａの膨張保持により、被施療者の上腕や肩を含む身体が固定されたとしても、図６に示すように、施療者は前記操作部５ａに楽に手が届いて、操作を何の支障もなく行うことができるのである。
【００４４】
尚、前記操作部５ａは、前記支持部材５１ａを必ずしも設ける必要は無く、例えば図１４に示すように、側壁部２ａの前端に操作部５ａを一体的に形成してもよい。この場合、側壁部２ａに対して操作部５ａが使用態様を安易にすべく、側壁部２ａの前端で移動調節可能に構成する事ができ、また、該操作部５ａを側壁部２ａに対して着脱自在に取り付けるようにする事もできる。
【００４５】
また、前記操作部５ａの液晶画面等の前記操作表示部と、操作ボタンまたはダイヤル等の前記操作指示部とを分離し、例えば、操作表示部を前記側壁部２ａの適所に設け、操作指示部を被施療者の手元に近い適所に設けるかまたは手に持つことができるようにする事ができる。この構成の場合、操作表示部を被施療者の顔の近くに位置させて視認性を高めると共に、操作指示部は被施療者の手元でまたは手に持って操作する事ができるため、わざわざ被施療者が側壁部２ａ近くに設けた操作部にまで手を伸ばす必要もなくなる。尚、この場合の操作指示部においては、十字キーとその中央に実行キーを配するよう構成してもよく、このような構成を採用することで、被施療者が操作指示部を見なくても操作できるようになる。
【００４６】
また、前記左右の側壁部２ａは、前記背当て部１２ａの左右両側に固設したものを上記図面で示したが、その他の形態として、側壁部２ａを背当て部１２ａの左右両側から連続的に形成したものであってもよい。
【００４７】
更に、前記左右の側壁部２ａを前記背当て部１２ａに対して移動調節可能であってもよい。この場合、前記操作部５ａと共に側壁部２ａ及び該側壁部２ａに設けた膨縮袋４ａを同時に調節する事ができて便利である。
【００４８】
前記施療機１ａに関しては、これまで主に椅子型のものを示したが、これに限らず、例えば他に少なくとも被施療者の臀部または大腿部が当接する座部と身体背部が当接する背当て部を設けてなるマット型やベッド型にも上記の構成を適用する事ができ、そのような形態の場合は、被施療者の背中が当接する背当て部の左右両側に夫々前述した側壁部２ａ・２ａを設けると共に、片側の側壁部２ａに操作部５ａを設ける事ができる。
【図面の簡単な説明】
【００４９】
【図１】本発明の施療機の一実施形態を示す斜視図である。
【図２】本発明の施療機の一実施形態を示す使用状態図である。
【図３】本発明の施療機の一実施形態を示す使用状態図である。
【図４】本発明の施療機の一実施形態を示す使用状態図である。
【図５】本発明の施療機の側壁部における膨縮袋の膨縮の一実施形態を示す断面説明図である。
【図６】本発明の施療機の一実施形態を示す使用状態図である。
【図７】本発明の施療機の操作部の位置変更に関する一実施形態を示す説明図である。
【図８】本発明の施療機における操作部の一実施形態を示す斜視説明図である。
【図９】本発明の施療機における操作部の支持部材に関する一実施形態を示す分解斜視説明図である。
【図１０】本発明の施療機における操作部の支持部材の位置変更に関する一実施形態を示す斜視説明図である。
【図１１】本発明の施療機における操作部と支持部材と側壁部に関する一実施形態を示す正面図である。
【図１２】本発明の施療機における操作部と支持部材と側壁部に関する一実施形態を示す右側面図である。
【図１３】本発明の施療機における操作部と支持部材と側壁部に関する一実施形態を示す平面図である。
【図１４】本発明の施療機の操作部と側壁部とを一体的に形成した一実施形態を示す斜視説明図である。
【図１５】従来技術を示す参考図である。
【符号の説明】
【００５０】
１ａ  施療機
１１ａ  座部
１２ａ  背当て部
１３ａ  足載せ部
１４ａ  肘掛け部
１５ａ  腕保持部
２ａ  側壁部
３ａ  施療子施療機構
３１ａ  施療子
３２ａ  ガイドレール
４ａ  膨縮袋
４１ａ  空気給排装置
５ａ  操作部
５１ａ  支持部材
５２ａ  ホルダー
５３ａ  可動ジョイント部材
５３１ａ  ボール部
５３２ａ  ボール保持調節部材
５３３ａ  ボール受け部
５３４ａ  ビス
【図１】
2007252674.tif 000003
【図２】
2007252674.tif 000004
【図３】
2007252674.tif 000005
【図４】
2007252674.tif 000006
【図５】
2007252674.tif 000007
【図６】
2007252674.tif 000008
【図７】
2007252674.tif 000009
【図８】
2007252674.tif 000010
【図９】
2007252674.tif 000011
【図１０】
2007252674.tif 000012
【図１１】
2007252674.tif 000013
【図１２】
2007252674.tif 000014
【図１３】
2007252674.tif 000015
【図１４】
2007252674.tif 000016
【図１５】
2007252674.tif 000017